【事件の表示】
　特願２００５−　　２８４８「コンピューティング入力デバイス及びコンピューティングシステム」拒絶査定不服審判事件〔平成１７年　７月２１日出願公開、特開２００５−１９６７９５〕について、次のとおり審決する。
【結　論】
　本件審判の請求は、成り立たない。
【理　由】
１．手続の経緯と本願発明
　本願は，平成１７年１月７日（パリ条約による優先権主張２００４年１月７日、米国）の出願であって，平成２３年３月２８日付けで拒絶査定がなされ，これに対して，平成２３年７月２８日に審判請求がなされるとともに手続補正がなされ，当審において，平成２４年１２月３日付けで，拒絶の理由が通知され，平成２５年３月４日に意見書並びに手続補正書が提出されたものである。
　そして，特許請求の範囲の請求項１に係る発明（以下，「本願発明」という。）は，平成２５年３月４日付け手続補正書により補正された明細書及び図面の記載からみて，その特許請求の範囲の請求項１に記載された以下のとおりのものと認める。
　
「データストリームを無線で受信するためのプロセッサを備え、複数の入力デバイスからデータを受信するためのシステムであって、
　前記データストリームは、複数の入力デバイスから受信したデータフレームを表すものであり、
　前記プロセッサは、第１の入力デバイスを識別する第１の識別子によって前記データストリーム内の第１のデータフレームを識別するように構成されているとともに、前記第１の識別子に基づいて前記データストリームから前記第１のデータフレームを抽出するように構成され、
　前記第１のデータフレームは、前記第１の入力デバイスによって取り込まれたイメージデータに基づいて手書きストロークを表すデータを含み、
　前記プロセッサは、第２の入力デバイスを識別する第２の識別子によって前記データストリーム内の第２のデータフレームを識別するように構成されているとともに、前記第２の識別子に基づいて前記データストリームから前記第２のデータフレームを抽出するように構成され、
　前記第２のデータフレームは、前記第２の入力デバイスによって取り込まれたイメージデータに基づいて手書きストロークを表すデータを含み、
　前記第１のデータフレームおよび前記第２のデータフレームは、圧縮された取り込んだイメージデータと、感知された力データと、タイムスタンプデータと、圧縮フラグデータと、周期冗長検査データとを有し、
　前記プロセッサは、前記取り込んだイメージデータと、前記感知された力データと、前記タイムスタンプデータとを用いて、前記第１の入力デバイスおよび前記第２の入力デバイスの移動距離、ならびに電子インクのインク幅のうちの少なくとも１つを決定し、前記電子インクを生成するようにさらに構成されることを特徴とするシステム。」
　
２．引用発明等
（１）．引用発明
　これに対して，当審の拒絶理由で引用した特開平８−１６６８４３号公報（平成８年６月２５日出願公開。以下，「引用文献１」という。）には，図面とともに，以下の事項が記載されている。
　
　ａ．「【００１９】図５に、本発明による
ワイヤレスペンシステムの全体の構成を示す。３０はワイヤレス基地局とシステムコンピュータを含んだ表示ボードであり
１０はワイヤレスペン
 【００２０】第一に、
ワイヤレスペン１０
の入力スイッチを押すこと（送信要請）により、ワイヤレスペン１０のＣＰＵ５１は、加速度センサ１３の位置情報の初期値を設定するとともに、送信要請信号を表示ボード３０に組み込まれたワイヤレス基地局へ送信する。ワイヤレス基地局は受信した無線信号をデジタルの信号へ復調し、システムコンピュータ３４へ送る。システムコンピュータ３４は送信要請信号を受けて、それに対する許可信号を発信するとともに、表示ボード３０の表示部３１の適当なエリアに表示領域を割り当てる
 【００２１】第二に、
システムコンピュータ３４より発信された許可信号は、ワイヤレス基地局で無線信号へ変換され、基地局アンテナより送信され
ワイヤレスペン１０のアンテナで受信される。受信した信号は復調回路でデジタル信号に復調され、結果として、送信許可の信号は
ワイヤレスペン１０のＣＰＵへ通知される
 【００２２】第三に、
ワイヤレスペン１０
携帯者はワイヤレスペン１０
を動かすことにより、文字あるいは描画のような情報を入力する（情報入力）。内蔵した加速度センサは動きに応じた加速度情報をワイヤレスペン１０
のＣＰＵへ伝送し、ＣＰＵはこの加速度情報を積分して速度情報とし、さらにこれを積分することにより、２次元の位置情報へ変換し、変調器を通してワイヤレス基地局へ入力情報を伝送する。ワイヤレス基地局は受信した入力情報をシステムのコンピュータ３４へ送信し、コンピュータはその情報を処理・演算し、表示ボード３０などの表示器へ、文字や描画の情報として表示させた（情報表示）
　
　ｂ．「【００２５】 
 【発明の効果】以上説明したように、本発明にかかるワイヤレスペンは、ＣＰＵと、メモリと、これらを電気的に接続したデジタル並びにアナログ回路と、マイクロ波帯や中波帯などの高周波方式を用いた遠隔通信用の変復調回路と通信アンテナとを搭載したワイヤレス携帯機であって、かつ、位置情報検知用の加速度センサを組み込んだ構成をとり、それを用いて本発明のワイヤレスペンシステムは、表示ボードと、ワイヤレス基地局と、並びにそれらを管理するシステムコンピュータから構成され、さらに、これらにワイヤレスメモカードを加えた構成とされるので、
ペン携帯者はグループによる知的作業中、場所を移動することなく、簡単なペン入力により自分のアイデアを文字並びに描画として、大型表示ボードに直接表示させることができる
　
　ｃ．図５には、複数のワイヤレスペン１０及びペン携帯者が示されている。 
　
　以上のａ〜ｃの記載から、引用文献１には、以下の発明（以下、「引用文献１記載の発明」という。）が記載されている。 
　
 〈引用文献１記載の発明〉 
　ワイヤレスペンシステムは、ワイヤレス基地局とシステムコンピュータを含んだ表示ボードと、ワイヤレスペンから構成され、 
　ワイヤレスペン１０の入力スイッチを押すこと（送信要請）により、ワイヤレスペン１０のＣＰＵ５１は、加速度センサ１３の位置情報の初期値を設定するとともに、送信要請信号を表示ボード３０に組み込まれたワイヤレス基地局へ送信し、ワイヤレス基地局は受信した無線信号をデジタルの信号へ復調し、システムコンピュータ３４へ送り、システムコンピュータ３４は送信要請信号を受けて、それに対する許可信号を発信するとともに、表示ボード３０の表示部３１の適当なエリアに表示領域を割り当て、 
　次に、システムコンピュータ３４より発信された許可信号は、ワイヤレス基地局で無線信号へ変換され、基地局アンテナより送信され、ワイヤレスペン１０のアンテナで受信され、受信した信号は復調回路でデジタル信号に復調され、結果として、送信許可の信号はワイヤレスペン１０のＣＰＵへ通知され、 
　次に、ワイヤレスペン１０の携帯者はワイヤレスペン１０を動かすことにより、文字あるいは描画のような情報を入力（情報入力）することにより、内蔵した加速度センサは動きに応じた加速度情報をワイヤレスペン１０のＣＰＵへ伝送し、ＣＰＵはこの加速度情報を積分して速度情報とし、さらにこれを積分することにより、２次元の位置情報へ変換し、変調器を通してワイヤレス基地局へ入力情報を伝送し、ワイヤレス基地局は受信した入力情報をシステムのコンピュータ３４へ送信し、コンピュータはその情報を処理・演算し、表示ボード３０などの表示器へ、文字や描画の情報として表示（情報表示）するものであり、 
　ワイヤレスペンは複数備えられ、ペン携帯者はグループによる知的作業中、場所を移動することなく、簡単なペン入力により自分のアイデアを文字並びに描画として、大型表示ボードに直接表示させることができる、 
 ワイヤレスペンシステム。 
　
３．対比・判断
　本願発明と引用文献１記載の発明とを対比する。 
　
　ア　引用文献１記載の発明の「ワイヤレスペン」、「システムコンピュータ」は、それぞれ、本願発明の「入力デバイス」、「プロセッサ」に相当する。 
　イ　引用文献１記載の発明において、「ワイヤレスペン」から、「無線信号」として、「位置情報へ変換し、変調器を通してワイヤレス基地局へ入力情報を伝送し、ワイヤレス基地局は受信した入力情報をシステムのコンピュータ３４へ送信し、コンピュータはその情報を処理・演算し」ており、本願発明の「データストリームを無線で受信するためのプロセッサ」を具備している。 
　
　ウ　引用文献１記載の発明において「ワイヤレスペン１０の携帯者はワイヤレスペン１０を動かすことにより、文字あるいは描画のような情報を入力（情報入力）することにより、内蔵した加速度センサは動きに応じた加速度情報をワイヤレスペン１０のＣＰＵへ伝送し、ＣＰＵはこの加速度情報を積分して速度情報とし、さらにこれを積分することにより、２次元の位置情報へ変換」しており、この情報は、本願発明の「入力デバイスによって取り込まれた」「データに基づいて手書きストロークを表すデータ」に対応する。 
　エ　引用文献１記載の発明において、複数の「ワイヤレスペン」を具備しており、それぞれの「ワイヤレスペン」からの入力データを、システムコンピュータが、処理、演算して、表示することから、それぞれの「ワイヤレスペン」からのデータを区別するために、入力データを各ワイヤレスペン毎に識別していることは明らかである。 
　
　
　したがって、両者には以下の一致点と相違点とがある。 
 〈一致点〉 
　データストリームを無線で受信するためのプロセッサを備え、複数の入力デバイスからデータを受信するためのシステムであって、 
　前記プロセッサは、第１の入力デバイスからのデータを識別するように構成され、 
　前記第１の入力デバイスからのデータは、前記第１の入力デバイスによって取り込まれたデータに基づいて手書きストロークを表すデータを含み、 
　前記プロセッサは、第２の入力デバイスからのデータを識別するように構成され、 
　前記第２の入力デバイスからのデータは、前記第２の入力デバイスによって取り込まれたデータに基づいて手書きストロークを表すデータを含むシステム。 
　
 〈相違点１〉 
　本願発明では、「データストリームは、複数の入力デバイスから受信したデータフレームを表すものであり、」プロセッサが、第１の入力デバイスまたは第２の入力デバイスを識別するために、入力デバイスを識別する第１または第２の識別子によって前記データストリーム内の第１または第２のデータフレームを識別するように構成されているとともに、第１または第２の識別子に基づいてデータストリームから第１または第２のデータフレームを抽出するように構成されているのに対し、引用発明では、無線信号で送信される信号のデータ構造については明らかでない点。 
　
 〈相違点２〉 
　本願発明では、第１または第２の入力デバイスからのデータが「第１のデータフレーム」または「第２のデータフレーム」であって、第１または第２の入力デバイスによって取り込まれた「イメージ」データに基づいて手書きストロークを表すデータを含み、「前記第１のデータフレームおよび前記第２のデータフレームは、圧縮された取り込んだイメージデータと、感知された力データと、タイムスタンプデータと、圧縮フラグデータと、周期冗長検査データとを有し、
　前記プロセッサは、前記取り込んだイメージデータと、前記感知された力データと、前記タイムスタンプデータとを用いて、前記第１の入力デバイスおよび前記第２の入力デバイスの移動距離、ならびに電子インクのインク幅のうちの少なくとも１つを決定し、前記電子インクを生成するようにさらに構成される」のに対し、引用文献１記載の発明では、当該構成につき明示がない点。 
　
　
　相違点につき検討を行う。 
 〈相違点１について〉 
　ワイヤレスペンによりその筆跡データを無線信号にて送信し、受信してその筆跡データを描画するシステムにおいて、その無線信号にBluetoothを用いることは、周知技術（特開２００３−３４５９４５号公報の段落【０００９】の記載、特開２００２−１０８５５０号公報の段落【０００６】〜【０００７】の記載、国際公開第０１／９９３１８号（特表２００４−５０１５６６号、段落【００１１】から【００１２】）の記載参照）である。 
　そして、無線信号にBluetoothを用いる場合に、機器を識別する情報を送信し、当該機器からのデータであることを識別するようにすることは、当然のことである。 
　したがって、引用文献１記載の発明において、無線信号として当該技術分野でよく使われるBluetoothを用い、機器を識別する情報を付加して送信する様にして、相違点１に係る本願発明の構成とすることは当業者が容易になし得るものである。 
　
 〈相違点２について〉 
　一般に、「電子ペン」等により手書き入力を行うものにおいて、その「電子ペン」の動きのデータとして、電子ペン（先）の位置データは必須であり、また、筆跡を描画するための処理方法によっては、筆圧データも必要となる（例えば、電子ペン等の入力デバイスにおいて、位置の情報であるドットパターンと、筆圧を検出する圧電素子からのデータを処理することが、特開２００３−３４５９４５号公報（段落【０００９】）に記載されている。特開２００３−１５８２１号公報（段落【００３０】）には、「筆圧情報に基づいてストロークの開始及び終了を検出する共に、描線の太さや濃度を変えて描画像を表示させる」ことが記載されている。特開２００１ー１７５４１５号公報（段落【０１０８】〜【０１１１】）には、「【０１１０】そこで、今回、LEDマトリックス方式やCCDカメラを用いた光学式などの座標入力／検出手段と拡散型半導体圧力センサマトリックスなどの接触圧力検出手段と演算回路などの信号処理手段とを備えることにより、CRTディスプレイや液晶ディスプレイなどの表示手段などを用いて筆圧パラメータを考慮した表示が行えるようにし、座標入力／検出装置は、前記接触圧力値が所定の範囲においてのみ座標入力を検出するようにした。
【０１１１】これにより、座標入力における接触圧力が表示に応用されるようになり、例えば、筆圧によって表示濃度を変化させたり、線幅を変化させたりすること」が記載されている。）ことは、当業者にとって周知の技術である。
　また、「データフレーム」に、「タイムスタンプデータ」を有する点は、特開２００２−２９７３０８号公報（段落【００２６】）に記載されているように、当該技術分野における慣用手段にすぎず、また、引用発明の様に複数の入力デバイスからのデータを処理する場合には、各々のデバイスからの入力された時間を考慮して、処理することは当然のことである。
　さらに、「データフレーム」として、位置情報を示す「圧縮された取り込んだイメージデータ」を採用することは、国際公開第２００３／０５６４２０号（第１６頁８行〜２６行）に記載されているように周知の技術であり、また、「周期冗長検査データ」を含ませることは、特開平８−２２１１８０号公報（段落【００９０】〜【００９１】、図１１）に記載されているように、本願出願前の慣用技術である。 
　
　これらのことから、引用発明において、複数のワイヤレスペン（入力デバイス）からデータを取り込み、そして、表示装置等に描画するために当該データを処理する方法として、上記周知の技術である位置情報を示す「取り込んだイメージデータ」、筆圧を示す「感知された力データ」、「タイムスタンプデータ」を取り込み、それを処理することにより、ワイヤレスペンの位置情報（移動距離）または描線の太さ（電子インクのインク幅）を決定する方法を採用するとともに、ワイヤレスペンから送信するデータフレームとして、その処理に必要な、「圧縮された取り込んだイメージデータと、感知された力データと、タイムスタンプデータ」を含むともに、「圧縮フラグデータと、周期冗長検査データ」を有するようにして、相違点２に係る本願発明の構成とすることは、当業者が容易になし得たものである。 
　
　また、本願発明の備える構成により得られる作用効果も、引用文献１記載の発明及び上記周知慣用技術によって得られる構成による作用効果からみて格別のものであるともいえない。 
　以上のとおりであるから、本願発明は、引用文献１記載の発明及び周知慣用技術に基づき当業者が容易に発明をすることができた発明である。 
　
４．結語
　以上のとおり，本願発明は引用文献１記載の発明に基づいて容易に発明できた発明であるから，特許法第２９条２項の規定により，特許を受けることができない。
　
　よって，結論のとおり審決する。